(57)【要約】【課題】ミスト運転終了後に自動的に浴室の乾燥を行い、浴室及び浴室暖房乾燥装置を良好な状態に維持することができる浴室暖房乾燥装置を提供すること。【解決手段】浴室３内の空気を加熱するための加熱手段（熱交換器８など）と、換気するための換気ファン１０と、浴室３内の温度を検知する温度検知センサ１００と、ミストを発生するためのミスト発生器６４と、加熱手段及び換気ファン１０を制御するためのコントローラ９８と、運転モードを設定するリモコン７６と、入浴終了を判定する入浴終了判定手段とを備える浴室暖房乾燥装置。ミストサウナモードの運転終了後に入浴終了判定手段が入浴終了と判定すると、浴室暖房乾燥装置の浴室乾燥運転が遂行され、コントローラ９８は温度検知センサ１００の検知温度に基づいて換気ファン１０及び加熱手段を作動制御する。【選択図】      図１
2004156889.tif 000002
【特許請求の範囲】
【請求項１】
浴室内の空気を加熱するための加熱手段と、浴室内の空気を換気するための換気ファンと、浴室内の温度を検知する温度検知手段と、浴室内にミストを発生するためのミスト発生手段と、前記加熱手段及び前記換気ファンを制御するための作動制御手段と、運転モードを設定する運転モード設定手段と、入浴終了を判定する入浴終了判定手段とを備える浴室暖房乾燥装置であって、
前記運転モード設定手段によりミストサウナモードが設定されると、前記ミスト発生手段が作動して浴室内にミストが発生するとともに、前記加熱手段が作動して浴室内が暖房され、前記ミストサウナモードの運転が終了して前記入浴終了判定手段が入浴終了と判定すると、浴室乾燥運転が遂行され、前記作動制御手段は前記温度検知手段の検知温度に基づいて前記換気ファン及び前記加熱手段を作動制御することを特徴とする浴室暖房乾燥装置。
【請求項２】
前記浴室乾燥運転の運転時間は、入浴前の浴室温度に基づいて設定される請求項１記載の浴室暖房乾燥装置。
【請求項３】
入浴終了判定後の浴室乾燥運転においては、浴室内の温度が換気温度以上である場合、前記換気ファンが作動して換気運転が行なわれ、その後、前記換気温度より低くなると前記換気ファン及び前記加熱手段が作動して乾燥運転が行なわれ、一方、浴室内の温度が前記換気温度より低い場合、前記換気ファン及び前記加熱手段が作動して乾燥運転が行なわれる請求項１又は２記載の浴室暖房乾燥装置。
【請求項４】
前記入浴終了判定手段は、ミストサウナモードの運転終了後所定時間経過するか、又はミストサウナモードの運転終了後浴室内の温度が入浴終了判定温度以下に低下すると、入浴終了と判定する請求項１〜３のいずれかに記載の浴室暖房乾燥装置。
【請求項５】
ミストサウナモードの運転終了後の浴室内の温度がミスト換気温度以上であると、前記換気ファンが作動して換気運転が行なわれる請求項１〜４のいずれかに記載の浴室暖房乾燥装置。
【発明の詳細な説明】
【０００１】
【発明の属する技術分野】
本発明は、浴室暖房乾燥装置、特に、ミストサウナモードを有する浴室暖房乾燥装置に関する。
【０００２】
【従来の技術】
近年、家庭の浴室でサウナ浴をするための装置として、特許文献１のようなミストサウナ装置が提案されている。このミストサウナ装置は、浴室内に設置されるものであり、給湯暖房機から供給される暖房用温水が通流する熱交換器と、この熱交換器の下方に設けられたファンと、熱交換器の上方に設けられて給湯暖房機からの給湯温水が供給される温水ノズルと、を具備する構成となっている。
【０００３】
このミストサウナ装置では、給湯暖房機から供給された暖房用温水により熱交換器が加熱されており、この熱交換器に対してその上方にある温水ノズルから給湯温水が供給されると、この温水が熱交換器の熱で蒸発してミストが発生する。このミストはファンにより浴室内に供給され、家庭の浴室で簡易にサウナ浴を得ることができる。
【０００４】
このようなミストサウナ装置を使用すると浴室内にミストが充満して浴室内の湿度が極めて高い状態になるが、ミスト浴の後は、浴室内の機器や浴室自体の維持管理上、浴室内の湿度を速やかに下げるのが望ましい。
【０００５】
このために、この従来のミストサウナ装置では、ミスト運転終了が指示されると、温水ノズルへの温水供給が停止してミスト発生がなくなり、この状態でファンが運転継続する。これにより、熱交換器の熱が浴室内に供給されて浴室内が暖房される。この暖房運転を行いながら、換気扇を作動して浴室内の乾燥を行なうことにより、浴室内が乾燥されるものとなる。
【０００６】
【特許文献１】
特開２０００−２３７２７３号公報
【０００７】
【発明が解決しようとする課題】
しかしながら、この従来のミストサウナ装置では、ミスト運転終了後、入浴者等がリモコンを操作して上記暖房運転と換気扇作動の指示をして浴室の乾燥を行っており、それ故に、浴室を乾燥させるにはリモコンを操作する必要があるが、この操作を忘れることが多く、このような場合、浴室が多湿状態に放置されることになり、上述したように浴室の維持管理上好ましくない。
【０００８】
また、この従来のミストサウナ装置では、浴室の湿度を検知し、その湿度が一定値以下に下がると乾燥運転を停止させる構成となっており、それ故に、比較的高価な湿度センサを必要とし、このミストサウナ装置の製造コストが高くなる。
【０００９】
本発明は、ミスト運転終了後に自動的に浴室の乾燥を行い、浴室及び浴室暖房乾燥装置自体を良好な状態に維持することができ、しかも、比較的高価な湿度センサを使用せずに運転制御できる浴室暖房乾燥装置を提供することを目的とする。
【００１０】
【課題を解決するための手段】
本発明の請求項１の浴室暖房乾燥装置は、浴室内の空気を加熱するための加熱手段と、浴室内の空気を換気するための換気ファンと、浴室内の温度を検知する温度検知手段と、浴室内にミストを発生するためのミスト発生手段と、前記加熱手段及び前記換気ファンを制御するための作動制御手段と、運転モードを設定する運転モード設定手段と、入浴終了を判定する入浴終了判定手段とを備える浴室暖房乾燥装置であって、
前記運転モード設定手段によりミストサウナモードが設定されると、前記ミスト発生手段が作動して浴室内にミストが発生するとともに、前記加熱手段が作動して浴室内が暖房され、前記ミストサウナモードの運転が終了して前記入浴終了判定手段が入浴終了と判定すると、浴室乾燥運転が遂行され、前記作動制御手段は前記温度検知手段の検知温度に基づいて前記換気ファン及び前記加熱手段を作動制御することを特徴とする。
【００１１】
本発明の請求項１の浴室暖房乾燥装置によれば、ミストサウナ運転終了後、作動制御手段は温度検知手段の検知温度に基づいて換気ファン及び加熱手段を作動制御するので、湿度検知手段を必要とせず、温度検知手段の温度検知のみを利用して自動的に換気ファン及び加熱手段を所要の通り作動制御する。従って、温度検知手段の検知温度に基づいて自動的に浴室の乾燥を行い、浴室及び浴室暖房乾燥装置自体を良好な状態に維持することができる。
【００１２】
本発明の請求項２の浴室暖房乾燥装置では、請求項１の浴室暖房乾燥装置において、前記浴室乾燥運転の運転時間は、入浴前の浴室温度に基づいて設定されることを特徴とする。
【００１３】
この請求項２の浴室暖房乾燥装置によれば、温度検知手段により、ミストサウナ使用前の初期室温が検知され、これにより周囲環境温度に応じた浴室乾燥運転時間が選択され、浴室内の環境温度に応じた浴室乾燥運転を自動的に行うことができる。例えば、冬場のように温度が低い時は乾燥し難く、従って乾燥運転時間が長く設定され、逆に夏場のように温度が高い時は乾燥し易く、従って乾燥運転時間が短く設定される。
【００１４】
本発明の請求項３の浴室暖房乾燥装置では、請求項１又は２の浴室暖房乾燥装置において、入浴終了判定後の浴室乾燥運転においては、浴室内の温度が換気温度以上である場合、前記換気ファンが作動して換気運転が行なわれ、その後、前記換気温度より低くなると前記換気ファン及び前記加熱手段が作動して乾燥運転が行なわれ、一方、浴室内の温度が前記換気温度より低い場合、前記換気ファン及び前記加熱手段が作動して乾燥運転が行なわれることを特徴とする。
【００１５】
この請求項３の浴室暖房乾燥装置によれば、入浴終了判定がされると、浴室内の温度が換気温度以上である場合、前記換気ファンが作動して換気運転が行なわれ、その後、前記換気温度より低くなると前記換気ファン及び前記加熱手段が作動して乾燥運転が行なわれ、一方、浴室内の温度が前記換気温度より低い場合、前記換気ファン及び前記加熱手段が作動して自動乾燥運転が行なわれる。特に、温度が高い時は換気運転を行い、湿気を外部に排出し、その後、乾燥運転をするので、乾燥効率を高めて浴室を短時間で乾燥できる。この場合、換気温度は初期室温との関連で設定するのが望ましい。
【００１６】
本発明の請求項４の浴室暖房乾燥装置は、請求項１〜３のいずれかの浴室暖房乾燥装置において、前記入浴終了判定手段は、ミストサウナモードの運転終了後所定時間経過するか、又はミストサウナモードの運転終了後浴室内の温度が入浴終了判定温度以下に低下すると、入浴終了と判定することを特徴とする。
【００１７】
この請求項４の浴室暖房乾燥装置によれば、ミストサウナ運転終了後、所定時間、例えば３０分程度経過すると浴室から退出することが多く、また、浴室内の温度が所定温度、例えば３２℃以下にまで下がることは入浴していないことが多く、このような条件から入浴終了を判定し、このように判定することによって、入浴終了をほぼ正確に判定することができる。
【００１８】
本発明の請求項５の浴室暖房乾燥装置は、請求項１〜４のいずれかの浴室暖房乾燥装置において、ミストサウナモードの運転終了後の浴室内の温度がミスト換気温度以上であると、前記換気ファンが作動して換気運転が行なわれることを特徴とする。
【００１９】
この請求項５の浴室暖房乾燥装置によれば、ミストサウナ運転終了後の浴室内の温度がミスト換気温度、例えば４０℃以上であると、換気ファンが作動して換気運転が行なわれ、浴室内の不要な湯気を排出し、浴室ドア開閉時に脱衣室側へ湯気が流出するのを防ぐことができる。
【００２０】
【発明の実施の形態】
以下、添付図面を参照して、本発明に従う浴室暖房乾燥装置の一実施形態について説明する。図１は本発明に従う浴室暖房乾燥装置の一実施形態を簡略的に示す図であり、図２は図１の浴室暖房乾燥装置の制御系を簡略的に示すブロック図であり、図３は季節判定テーブルを示す図であり、図４は換気判定テーブルを示す図であり、図５は乾燥時間テーブルを示す図であり、図６はミストサウナモードの運転時における入浴終了判定までの制御の流れを示すフローチャートであり、図７は入力終了判定から乾燥運転終了までの制御の流れを示すフローチャートであり、図８は浴室乾燥運転中の乾燥運転においてミストサウナモードの運転を再開したときの制御の流れを示すフローチャートであり、図９は浴室乾燥運転中の換気運転においてミストサウナモードの運転を再開したときの制御の流れを示すフローチャートである。
【００２１】
図１において、図示の浴室暖房乾燥装置は直方体状の暖房乾燥機本体２を備え、この暖房乾燥機本体２は例えば浴室３の天井近くの壁面５に取り付けられる。暖房乾燥機本体２内には、循環流路４及び換気流路６が設けられている。この循環流路４内には加熱手段の一部を構成する熱交換器８と、浴室３内の空気と循環する循環ファン１０とが設けられている。熱交換器８は、複数本の中空パイプ１２を有し、加熱媒体としての温水が後述する如くして、これら中空パイプ１２を通して流れる。循環ファン１０は、循環流路４に配置された循環用羽根体１４と、この羽根体１４を回転駆動する循環モータ１６から構成され、循環モータ１６が作動する羽根体１４は所定方向に回転駆動される。
【００２２】
暖房乾燥機本体２の前面下部には吸込口２０が設けられ、この吸込口２０の上側には吹出し口２２が設けられ、循環流路４の上流側は吸込口２０に連通され、その下流側は吹出し口２２に連通されている。循環用羽根体１４が所定方向に回転駆動されると、浴室内の空気が吸込口２０を通して吸い込まれ、循環流路４を通して流れた後、吹出し口２２から浴室３内に吹き出し、このようにして浴室３内の空気が循環流路４を通して循環される。循環流路４を流れる空気は、熱交換器８にて中空パイプ１２内を流れる温水との間で熱交換されて加熱され、加熱された空気が吹出し口２２から吹き出す。
【００２３】
換気流路６は、吸込口２０近傍の循環流路４から分岐して設けられ、暖房乾燥機本体２の背面側に延びている。暖房乾燥機本体４の背面には排気口２３が設けられ、換気流路６の下流側が排出口２３に連通されている。この換気流路６には換気ファン３２が配置されている。換気ファン３２は、換気流路６に配置された換気用羽根体３４と、この羽根体３４を回転駆動する換気モータ３６から構成されている。この換気モータ３６が作動すると、羽根体３４が所定方向に回転駆動され、浴室３内の空気は吸込口２０を通して吸い込まれ、換気流路６を通して流れて排気口２３から屋外に排出される。
【００２４】
熱交換器８には、加熱媒体としての温水が熱源機４２（加熱手段の一部を構成する）から供給される。熱源機４２は例えばガス給湯暖房機、電気給湯暖房機などから構成され、給湯用温水を生成するための第１熱源手段４１と、浴室暖房乾燥用温水を生成するための第２熱源手段４３とを備えている。この形態では、第２熱源手段の供給側接続部４４が供給ライン４６を介して熱交換器８の流入側に接続され、また、その戻り側接続部４８が戻りライン５０を介して熱交換器８の流出側に接続され、供給ライン４６には、このライン４６を開閉するための熱動弁５２が配置されている。かく接続されているので、熱源機４２の第２熱源手段４３にて生成された温水、例えば８０℃程度の温水は、供給ライン４６を通して熱交換器８に供給され、その複数本の中空パイプ１２を通して流れ、その後戻りライン５０を通して第２熱源手段４３に戻る。尚、この実施形態では、加熱手段として第２熱源手段４３及び熱交換器８などを用いているが、このような構成に代えて、電気加熱ヒータなどを用いるようにしてもよい。
【００２５】
また、浴室３内の所定部位には浴槽５４が配設され、その洗い場近辺には混合水栓５６が設けられている。混合水栓５６の水用栓には水道ライン５８が接続されている。また、混合水栓５６の温水用栓は給湯ライン６０を介して第１熱源手段４１の温水送給側に接続され、第１熱源手段４１の水供給側が水道ライン６２に接続されている。従って、混合水栓５６の水用栓を開栓すると、水道ライン５８を通して水道水が供給される。また、その温水用栓を開栓すると、第１熱源手段４１が作動し、水道ライン６２からの水道水が第１熱源手段４１にて加熱され、加熱された温水、例えば５０℃程度の温水が給湯ライン６０を通して供給され、同時に水用栓を開栓することによって、所望温度の温水が出湯する。
【００２６】
浴室３の混合水栓５６の近傍、この形態ではその下方に、水蒸気を発生して浴室３内に噴出するミスト発生器６４（ミスト発生手段を構成する）が配設されている。ミスト発生器６４は、その前面に装備された一対のミストノズル６６を備え、一対のミストノズル６６がノズルライン６８及びミスト用ライン７０を介して給湯ライン６０に接続されている。ミスト用ライン７０には、止水弁７２及びミスト電磁弁７４が配設されている。このように接続されているので、第１熱源手段４１にて加熱された温水は、給湯ライン６０、ミスト用ライン７０及びノズルライン６８を通してミストノズル６６に供給され、ミストノズル６６にて水蒸気が生成されて浴室３内に噴出する。尚、この実施形態では、給湯ライン６０からの温水の一部をミスト発生器６４に送給しているが、このような構成に代えて、ミスト発生器６４専用の熱源機を設け、この熱源機からの温水を直接的に送給するようにしてもよい。
【００２７】
この浴室暖房乾燥装置は、例えば、浴槽５４近傍に配置されるリモコン７６により作動制御される。図２をも参照して、図示のリモコン７６は、運転モードを設定するための運転モード設定手段７８を備え、この形態では、この運転モード設定手段７８は、乾燥モードを設定するための乾燥スイッチ８０、暖房モードを設定するための暖房スイッチ８２、換気モードを設定するための換気スイッチ８４及びミストサウナモードを設定するためのミストサウナスイッチ８６から構成されている。リモコン７６は、停止スイッチ８８、設定切換スイッチ９０、アップスイッチ９２及びダウンスイッチ９４を含んでいる。停止スイッチ８８は、浴室暖房乾燥装置の運転を停止、終了するためのスイッチであり、設定切換スイッチ９０は、設定条件を切り換えるためのスイッチであり、押圧する毎に設定条件が「温度」と「タイマ時間」に交互に切り換わる。アップスイッチ９２及びダウンスイッチ９４は設定条件をアップ及びダウンするためのスイッチであり、設定条件が温度（又はタイマ時間）である場合、アップスイッチ９２を押圧すると設定温度（又はタイマ設定時間）が上がり（又は長くなり）、ダウンスイッチ９４を押圧すると設定温度（又はタイマ設定時間）が下がる  （又は短くなる）。このリモコン５６によって設定された各種設定は、その送信手段９６から、例えば赤外線を利用して送信される。
【００２８】
浴室暖房乾燥装置は、更に、リモコン７６からの設定信号を受けて装置を作動制御するためのコントローラ９８と、浴室内の温度を検知する温度検知センサ１００（温度検知手段を構成する）を備えている。温度検知センサ１００は、例えば、暖房乾燥機本体２の吸込口２０の内側に配設され、浴室３の温度を検知し、この温度検知センサ１００からの検知信号がコントローラ９８に送信される。
【００２９】
図示のコントローラ９８は例えばマイクロプロセッサから構成され、作動制御手段１０２、温度演算手段１０４、時間演算手段１０６、季節判定手段１０８、入浴終了判定手段１１０、換気作動判定手段１１２及び乾燥時間設定手段１１４を含んでいる。作動制御手段１０２は、循環モータ１６、換気モータ３６、熱源機４２、熱動弁５２及びミスト電磁弁７４を後述する如く作動制御する。温度演算手段１０４は、浴室乾燥運転時に換気運転を行うか否かの判定を行うための換気温度を算出し、時間演算手段１０６は浴室乾燥運転時における乾燥運転時間を算出する。また、季節判定手段１０８は浴室の初期温度に基づいて季節を判定し、入浴終了判定手段は後述する如くして入浴の終了を判定し、換気作動判定手段１１２は浴室乾燥運転時において換気運転を行うか否かの判定を行い、また乾燥時間設定手段は浴室乾燥運転時における乾燥運転時間を設定する。
【００３０】
このコントローラ９８は、更に、タイマ手段１１６、第１メモリ１１８、第２メモリ１２０及び受信手段１２２を含んでいる。タイマ手段１１６は設定時間を計時する。第１メモリ１１８には、図３に示す季節判定テーブル、図４に示す換気判定テーブル及び図５に示す乾燥時間テーブルが記憶されているとともに、各種の設定温度、例えば、例えば入浴終了と判定する際に用いる温度（この形態では３２℃）、ミストサウナモード運転終了後に換気ファン３２を作動させるか否かを判定する際に用いる温度（この形態では４０℃）、再入浴と判定する際に用いる温度（この形態では３４℃）、及び各種の設定時間、例えば入浴終了を判定する際に用いる時間（この形態では３０分）が記憶されている。また、第２メモリ１２０には、各種検知温度、例えば初期の浴室温度Ｔｏが記憶されるとともに、各種算出温度（温度演算手段１０４により算出された温度）及び各種算出時間（時間演算手段１０６により算出された時間）が記憶される。更に、受信手段１２２は、リモコン７６の送信手段１００からの送信信号を受信する。
【００３１】
次いで、季節の判定について説明すると、この実施形態では、入浴前の浴室３内の温度を利用して季節の判定が行われる。即ち、コントローラ９８の第１メモリ１１８には、図３に示す季節判定テーブルが記憶されており、季節判定手段１０８は浴室３の温度に基づいてそのときの季節を判定する。この実施形態では、図３から理解されるように、季節判定手段１０８は、入浴前の浴室温度Ｔｏ（換言すると、入浴初期温度）が１０℃以下である場合に周囲温度が低くて季節を「冬」と判定し、入浴前の浴室温度が２６℃以上である場合に周囲温度が高くて季節を「夏」と判定し、入浴前の浴室温度が１４〜２５℃である場合に周囲温度が中間程度であるとして季節を「春・秋」と判定する。
【００３２】
また、換気温度の算出について説明すると、この実施形態では、入浴終了判定の際に用いる浴室温度Ｔｅ（この形態では３２℃）及び換気基準値Ｔｈを用いて換気温度の算出が行われる。即ち、温度演算手段１０４は、上記浴室温度Ｔｅと換気基準値Ｔｈとの差を演算して換気温度Ｔｐを算出し（Ｔｅ＝Ｔｅ−Ｔｈ）、換気作動判定手段１１２は換気温度Ｔｐと現時点の浴室温度Ｔｏを用いて浴室乾燥運転時における換気運転の判定を行い、現時点の浴室温度Ｔｅが換気温度Ｔｐ以上である場合に換気ファン３２を作動させる。
【００３３】
そして、この換気温度の算出の際に用いる換気基準値Ｔｈは、季節により調整されるようになっている。第１メモリ１１８には、また、図４に示す換気判定テーブルが記憶されており、季節判定手段１０８により「冬」と判定されると、換気基準値として１４ｄｅｇが読み出され、また「春・秋」（又は「夏」）と判定されると、換気基準値として８（又は４）ｄｅｇが読み出される。従って、季節判定手段１０８により「冬」（又は「春・秋」、「夏」）と判定された場合、換気温度Ｔｅとして１８℃（又は２４℃、２８℃）が設定され、後述する浴室乾燥運転中に浴室温度Ｔｏが１８℃（又は２４℃、２８℃）まで下がると、換気ファン３２による換気が終了する。
【００３４】
更に、浴室乾燥運転中の乾燥運転の設定時間について説明すると、この形態では、浴室乾燥運転の運転時間は入浴前の浴室温度、即ち、季節判定手段１０８により判定された季節に基づいて設定される。コントローラ９８の第１メモリ１１８には、図５に示す乾燥時間テーブルが記憶されており、季節判定手段１０８により「冬」と判定されると、乾燥運転時間として（８０−ｔ／２）が読み出され、「春・秋」と判定されると、乾燥運転時間として（７０−ｔ／２）が読み出され、また「夏」として判定されると乾燥運転時間として（６０−ｔ／２）が読み出され、このときの時間ｔは浴室乾燥運転時の換気運転時間である。従って、浴室乾燥運転中に換気運転が行われると、この換気運転の運転時間を考慮してその後の乾燥運転の運転時間が設定される。例えば、判定された季節が「冬」である場合、基準乾燥時間として８０分が仮設定され、この８０分を基準として、浴室乾燥運転中の換気運転時間が例えば１０分であるとすると、換気運転後の乾燥運転の運転時間として７５分が設定される。また、例えば、判定された季節が「春・秋」（又は「冬」）である場合、基準乾燥時間として７０分（又は６０分）が仮設定され、この７０分（又は６０分）を基準として、浴室乾燥運転中の換気運転時間が例えば１０分であるとすると、換気運転後の乾燥運転の運転時間として６５分（又は５５分）が設定される。入浴前の浴室温度が高い（又は低い）と、周囲環境の温度が高く（又は低く）、従って浴室内が乾燥し易く（難く）、短い（又は長い）乾燥運転時間が設定され、このように運転時間を設定することによって、無駄な乾燥運転を行うことなく、効率良く浴室を乾燥することができる。
【００３５】
次に、主として図１及び図２とともに図６〜図９を参照して、上述した浴室暖房乾燥装置におけるミストサウナモードの運転及びその運転終了後の浴室乾燥運転について説明する。
【００３６】
ミストサウナモードの運転を行うには、リモコン７６のミストサウナスイッチ８６を操作すればよい。かくすると、図６に示すように、浴室３の温度の測定が行われ（ステップＳ１）、温度検知センサ１００からの信号がコントローラ９８に送られ、この検知温度が第２メモリ１２０に記憶される。そして、この検知温度に基づいて季節の判定が行われる（ステップＳ２）。例えば、入浴前の浴室の温度が例えば１３℃以下（又は１４〜２５℃、２６℃以上）のときには、季節判定手段１０８は、図３の季節判定テーブルに基づいて「冬」（又は「春・秋」、「夏」）と判定し、この判定結果が第２メモリ１２０に記憶される。
【００３７】
このようにして季節の判定が行われた後に、浴室暖房乾燥装置のミストサウナ運転が開始される（ステップＳ３）。このミストサウナ運転においては、浴室暖房機本体２の暖房運転とミスト発生器６４の運転が同時に行われる。即ち、作動制御手段１０２は熱源機４２の第２熱源手段４３、熱動弁５２及び循環モータ３６を作動し、第２熱源手段４３からの温水が供給ライン４６、熱交換器８及び戻りライン５０を通して循環され、また浴室３内の空気が暖房乾燥機本体２の循環流路４を通して循環され、循環流路４を流れる空気が熱交換器８において温水との間で熱交換されて加熱され、加熱された空気が吹出し口２２から吹き出し、このようにして浴室３の暖房が行われる。また、これと同時に、作動制御手段１０２は熱源機４２の第１熱源手段４１及びミスト電磁弁７４を作動し、第１熱源手段４１からの温水が給湯ライン６０、ミスト用ライン７０及びノズルライン６８を通してミストノズル６６に送給され、かく送給された温水がミストノズルから水蒸気となって噴出する。このように暖房乾燥機本体２の暖房運転とミスト発生器６４からのミスト発生により、浴室３内でサウナ浴が得られる。
【００３８】
このミストサウナ運転が開始すると、タイマ手段１１６が作動し、このタイマ手段１１６が所定の設定時間（リモコン７６により設定されたミストサウナモードの運転時間）を計時するまで、このミストサウナ運転が行われる。そして、タイマ手段１１６が所定設定時間を計時すると、ステップＳ５からステップＳ６に進み、タイマ手段１１６がリセットし、サウナミスト運転が終了し（ステップＳ７）、熱源機４２（第１及び第２熱源手段４１，４３）、循環モータ１６、熱動弁５２及びミスト電磁弁７４が作動停止する。
【００３９】
このようにミストサウナ運転が終了すると、使用者の入浴が終了したか否かの判定が行われる。即ち、タイマ手段１１６が再作動し（ステップＳ８）、また温度検知センサ１００により浴室温度の測定が行われる（ステップＳ９）。そして、浴室温度がミスト換気温度（例えば４０℃）以上のときには、ステップＳ１０からステップＳ１１に進み、作動制御手段１０２は換気モータ３６を作動し、浴室３内の空気（水蒸気を含んでいる）が換気流路６を通して屋外に排出され、このように換気ファン３２を作動させることによって、浴室３内の不要な湯気を外部に排出することができる。このように換気ファン３２による換気を行って浴室温度が４０℃未満に低下すると、ステップＳ１２からステップＳ１３に進み、換気モータ３６が停止する。
【００４０】
ステップＳ１０又はステップＳ１３において浴室温度が４０℃未満に低下すると、ステップＳ１４に進み、ミストサウナ運転終了後３０分経過したか、即ちタイマ手段１１６が３０分計時したかが判断され、この３０分が経過しないうちはステップＳ１５に進み、浴室温度が３２℃より低くなったかが判断される。そして、ミストサウナ運転終了後３０分経過すると、ステップＳ１４からステップＳ１６に移り、またミストサウナ運転の終了後３０分経過してないときに浴室温度が３２℃未満に低下すると、ステップＳ１５からステップＳ１６に進む。ステップＳ１６においては、タイマ手段１１６がリセットされ、入浴終了判定手段１１０が使用者による入浴が終了したと判定し、このように判定することによって、比較的簡単に且つほぼ正確に入浴終了を判定することができる。
【００４１】
ミストサウナ運転が終了し、入浴終了と判定されると、浴室を乾燥する浴室乾燥運転が自動的に行われる。図７に示すように、浴室温度が換気温度以上か否かが判定され、この判定は換気作動判定手段１１２により行われる。この換気温度は、上述したように、季節判定手段１０８による判定が「冬」（又は「春・秋」、「夏」）である場合に１８℃（又は２４℃、２８℃）に設定される。そして、「冬」（又は「春・秋」、「夏」）の場合おいて、浴室温度が１８℃（又は２４℃、２８℃）以上のときには、ステップＳ１９に進んで浴室乾燥運転における換気運転が行われるが、その温度が１８℃（又は２４℃、２８℃）未満のときには、ステップＳ２４に移って浴室乾燥運転における乾燥運転が行われる。
【００４２】
ステップＳ１９に進むと、作動制御手段１０２は換気モータ３６を作動し、換気ファン３２による換気運転が行われ、浴室３内の空気が換気流路６を通して屋外に排出され、このようにして湿気を屋外に排出することによって乾燥効率を高めることができる。このように換気運転が開始すると、タイマ手段１１６が作動し（ステップＳ２０）、換気運転の運転時間が計時される。
【００４３】
このような換気運転により浴室３内の温度が上記換気温度まで低下すると、ステップＳ２１からステップＳ２２に進み、換気モータ３６の作動が停止し、上述した換気運転が終了し、またタイマ手段１１６の計時が終了し、換気運転の運転時間が第２メモリ１２０に記憶され、ステップＳ２４に進む。
【００４４】
ステップＳ１８又はステップＳ２３からステップＳ２４に進むと、浴室乾燥運転における乾燥運転が開始される。この乾燥運転においては、浴室暖房機本体２の暖房運転と換気運転が同時に行われる。即ち、作動制御手段１０２は循環モータ１６、熱動弁５２及び熱源機４２の第２熱源手段４３を作動して浴室３の暖房が行われるとともに、換気モータ３６を作動して浴室３内の空気の屋外への排出が行われ、このようにして浴室３及び浴室暖房乾燥装置自体の乾燥が行われる。
【００４５】
次に、残りの浴室乾燥運転の運転時間、即ち浴室乾燥運転における乾燥運転時間の設定が行われる（ステップＳ２５）。上述したように、時間演算手段１０６は図５の乾燥時間テーブルを利用し、季節判定手段１０８により判定された季節及び浴室乾燥運転における換気運転の運転時間を用いて乾燥運転時間を算出し、乾燥時間設定手段１１４はかく算出した運転時間を乾燥運転時間として設定する。また、タイマ手段１１６が作動し、この乾燥運転の運転時間の計時が開始される（ステップＳ２６）。
【００４６】
この乾燥運転が所定設定時間（乾燥時間設定手段１１４により設定された時間）行われる、即ちタイマ手段１１６がこの所定設定時間計時すると、ステップＳ２７からステップＳ２８に進み、タイマ手段１１６がリセットされ、乾燥運転が終了し（ステップＳ２９）、循環モータ１６、第２熱源手段４３、熱動弁５２及び換気モータ３６が作動停止し、このようにしてミストサウナ運転終了後自動的に浴室乾燥運転が行われ、浴室３及び浴室暖房乾燥装置自体の乾燥が行われ、これらを良好な状態に保つことができる。
【００４７】
この浴室乾燥運転における乾燥運転中にリモコン７６の停止スイッチ８８を操作すると、ステップＳ２７からステップＳ３０を経てステップＳ３１に進み、乾燥運転が停止し（ステップＳ３１）、循環モータ１６、第２熱源手段４３、熱動弁５２及び換気モータ３６が作動停止する。そして、リモコン７６のミストサウナスイッチ８６を操作すると、ステップＳ３２からステップＳ３３に進み、再入浴と判定され、タイマ手段１１６がリセットされ（ステップＳ３４）、その後ステップＳ３に戻り、上述したミストサウナ運転が行われる。
【００４８】
一方、ミストサウナ運転を行わないときには、入浴終了判定温度（この形態では３２℃）より幾分上昇したか、この形態では浴室温度が例えば３４℃以上に上昇したかが判断される。浴室温度が３４℃以上に上昇したときには、ステップＳ３５からステップＳ３６に進んで再入浴と判定され、タイマ手段１１６がリセットされ（ステップＳ３７）、浴室暖房乾燥装置２の乾燥運転の停止状態が維持される。そして、浴室温度が再入浴と判定した温度（この形態では３４℃）以下に低下すると、ステップＳ３８からステップＳ３９に進み、入浴終了と判定され、その後ステップＳ１８に戻って浴室暖房乾燥装置の浴室乾燥運転が再び遂行される。
【００４９】
これに対して、浴室温度が再入浴判定温度（３４℃）以上に上昇しないときには、ステップＳ３５からステップＳ４０に進み、浴室暖房乾燥装置の乾燥運転が再開され、その後ステップＳ２７に戻り、乾燥時間設定手段１１４により設定された乾燥運転時間の残りの時間に対し、浴室暖房乾装置の乾燥運転が行われた後、浴室乾燥運転が終了する。
【００５０】
また、ステップＳ２１において、浴室温度が換気温度以上であると、図９に示すようにステップＳ４１に移る。そして、リモコン７６の停止スイッチ８８を操作しないときにはステップＳ２１に戻り、浴室温度が換気温度未満に低下するまで浴室暖房乾燥装置の換気運転が遂行されるが、この停止スイッチ８８を操作すると、ステップＳ４１からステップＳ４２に進み、換気モータ３６の作動が停止し、浴室暖房乾燥装置の換気運転が終了する。その後、リモコン７６を操作してミストサウナモードの運転が選択されると、ステップＳ４３からステップＳ４４に進み、再入浴と判定され、タイマ手段１１６がリセットされ（ステップＳ４５）、その後ステップＳ３に戻って、浴室暖房乾燥装置のミストサウナ運転が行われる。一方、ミストサウナモードの運転を選択しないと、ステップＳ４３からステップＳ２３に戻り、タイマ手段１１６がリセットされ、その後浴室暖房乾燥装置の乾燥運転が開始され、上述したと同様にしてこの乾燥運転の運転時間が時間演算手段１０６により算出され、この乾燥運転時間の間、上述したど同様にして乾燥運転が行われる。
【００５１】
上述したように、この浴室暖房乾燥装置においては、ミストサウナ運転が終了して入浴終了と判定されると、浴室暖房乾燥装置の浴室乾燥運転が自動的に開始され、この浴室乾燥運転によって、浴室３及び浴室暖房乾燥装置自体の乾燥が行われる。
【００５２】
以上、本発明に従う浴室暖房乾燥装置の一実施形態について説明したが、本発明はかかる実施形態に限定されるものではなく、本発明の範囲を逸脱することなく種々の変形乃至修正が可能である。
【００５３】
例えば、上述した実施形態では、浴室乾燥運転中の乾燥運転の設定時間を入浴前の浴室温度に基づき、乾燥運転前に必要に応じて遂行される換気運転の運転時間を考慮して設定しているが、浴室暖房乾燥装置の浴室乾燥運転時間を入浴前の入浴温度に基づき簡易的に設定するようにしてもよい。例えば、入浴前の浴室温度が例えば１３℃以下である（判定季節が「冬」である）場合に浴室乾燥運転時間を例えば８０分に、その温度が例えば１４〜２５℃℃である（判定季節が「春・秋」である）場合に浴室乾燥運転時間を例えば７０分に、またその温度が例えば２６℃以上である（判定季節が「夏」である）場合に浴室乾燥運転時間を例えば６０分に設定するようにしてもよい。
【００５４】
【発明の効果】
本発明の請求項１の浴室暖房乾燥装置によれば、ミストサウナ運転終了後、作動制御手段は温度検知手段の検知温度に基づいて換気ファン及び加熱手段を作動制御するので、温度検知手段の検知温度に基づいて自動的に浴室の乾燥を行い、浴室及び浴室暖房乾燥装置自体を良好な状態に維持することができる。
【００５５】
本発明の請求項２の浴室暖房乾燥装置によれば、ミストサウナ使用前の初期室温に応じた浴室乾燥運転時間を選択するので、浴室内の環境温度に応じた浴室乾燥運転を自動的に行うことができる。
【００５６】
本発明の請求項３の浴室暖房乾燥装置によれば、入浴終了判定時の浴室温度が換気温度以上である場合に換気運転を行って湿気を屋外に排出するので、乾燥効率を高めて浴室を短時間で乾燥することができる。
【００５７】
本発明の請求項４の浴室暖房乾燥装置によれば、ミストサウナ運転終了後所定時間経過するか、又は浴室内の温度が所定温度まで下がると入浴終了と判定するので、入浴終了をほぼ正確に判定することができる。
【００５８】
本発明の請求項５の浴室暖房乾燥装置によれば、ミストサウナ運転終了後の浴室内の温度がミスト換気温度以上である場合に換気運転を行なうので、浴室内の不要な湯気を屋外に排出し、浴室ドア開閉時に脱衣室側へ湯気が流出するのを防ぐことができる。
【図面の簡単な説明】
【図１】本発明に従う浴室暖房乾燥装置の一実施形態を簡略的に示す図である。
【図２】図１の浴室暖房乾燥装置の制御系を簡略的に示すブロック図である。
【図３】季節判定テーブルを示す図である。
【図４】換気判定テーブルを示す図である。
【図５】乾燥時間テーブルを示す図である。
【図６】ミストサウナモードの運転時における入浴終了判定までの制御の流れを示すフローチャートである。
【図７】入力終了判定から乾燥運転終了までの制御の流れを示すフローチャートである。
【図８】浴室乾燥運転中の乾燥運転においてミストサウナモードの運転を再開したときの制御の流れを示すフローチャートである。
【図９】浴室乾燥運転中の換気運転においてミストサウナモードの運転を再開したときの制御の流れを示すフローチャートである。
【符号の説明】
２  暖房乾燥機本体
４  循環流路
６  換気流路
８  熱交換器
１０  循環ファン
３２  換気ファン
４２  熱源機
５６  混合水栓
６４  ミスト発生器
６６  ミストノズル
７６  リモコン
７８  運転モード設定手段
８６  ミストサウナスイッチ
９８  コントローラ
１００  温度検知センサ
１０８  季節判定手段
１１０  入浴終了判定手段
１１２  換気作動判定手段
１１４  乾燥時間設定手段
【図１】
2004156889.tif 000003
【図２】
2004156889.tif 000004
【図３】
2004156889.tif 000005
【図４】
2004156889.tif 000006
【図５】
2004156889.tif 000007
【図６】
2004156889.tif 000008
【図７】
2004156889.tif 000009
【図８】
2004156889.tif 000010
【図９】
2004156889.tif 000011